(57)【要約】 【課題】  静電気の放電によってスイッチ部品に損傷が生じることを防止し、スイッチ部品が搭載される基板の設計に伴う自由度が低下することを防止し、省スペース化を可能にすることのできるスイッチ構成体およびこれを備える電子機器を提供することである。【解決手段】  スイッチ構成体２０は、カバー体２６と、第１部品２７と、第２部品２８とを含み、カバー体２６は、筐体２２の開口部２３から露出する露出面部２４を有する。第１部品２７は、静電気の放電に伴う電圧の印加によって損傷を受けやすく、第２部品２８は、静電気の放電に伴って印加される電圧よりも高い耐電圧を有する。第２部品２８は、最も短い到達経路３１の途中に配置される。到達経路３１は、露出面部２４のうち筐体２２の開口部２３に最も近接する外縁部２５から第１部品２７までの行程を形成する。【選択図】      図３
2009272258.tif 000002
【特許請求の範囲】
【請求項１】
筐体の開口部から露出する露出面部を有し、前記露出面部が外方に向けられて配置され、外方の外部空間と内方の内部空間とを仕切るカバー体と、
前記内部空間に配置される基板上に設けられ、静電気の放電に伴う電圧の印加によって損傷を受けやすい第１部品と、
前記基板上に設けられ、静電気の放電に伴って印加される電圧よりも高い耐電圧を有する第２部品であって、
前記露出面部のうち前記筐体の前記開口部に最も近接する外縁部から前記第１部品までの到達経路として、最も短い到達経路の途中に配置される第２部品とを含むことを特徴とするスイッチ構成体。
【請求項２】
前記第２部品は、複数設けられ、
前記第１部品は、複数の第２部品の間に配置されることを特徴とする請求項１に記載のスイッチ構成体。
【請求項３】
前記第２部品は、３つ以上設けられ、
第１部品は、前記３つ以上の第２部品を頂点とする基板上の多角形の領域内に配置されることを特徴とする請求項１または２に記載のスイッチ構成体。
【請求項４】
前記露出面部の前記外縁部から前記第１部品までの到達経路のうち、前記第２部品までの経路よりも短い到達経路は、１０ｍｍ以上に設定されることを特徴とする請求項１または２に記載のスイッチ構成体。
【請求項５】
前記第１部品は青色発光ダイオードを含み、
前記第２部品は、オン状態とオフ状態とに態様が切換えられる切換部を含むことを特徴とする請求項１〜４のいずれか１つに記載のスイッチ構成体。
【請求項６】
前記第２部品は、赤色発光ダイオードをさらに含むことを特徴とする請求項５に記載のスイッチ構成体。
【請求項７】
筐体の開口部から露出する露出面部を有し、前記露出面部が外方に向けられて配置され、外方の外部空間と内方の内部空間とを仕切るカバー体と、
前記内部空間に配置される基板上に設けられ、静電気の放電に伴う電圧の印加によって損傷を受けやすい第１部品と、
前記基板上に配置され、静電気の放電に伴って印加される電圧よりも高い耐電圧を有する第２部品とを含み、
前記カバー体には、前記内部空間に臨む内表面部の一部として導電性を有する導電層が形成され、
導電層は、いずれの部分においても第１部品との距離よりも第２部品との距離の方が短いことを特徴とするスイッチ構成体。
【請求項８】
請求項１〜７のいずれか１つに記載のスイッチ構成体を備えることを特徴とする電子機器。
【発明の詳細な説明】
【技術分野】
【０００１】
本発明は、筐体の開口部から露出する露出面部を有し、操作されることによってオン状態とオフ状態とに態様が切換えられるスイッチ構成体およびこれを備える電子機器に関する。
【背景技術】
【０００２】
図１は、第１の従来技術に係るプッシュスイッチ１の平面図である。第１の従来技術に係るスイッチ構成体であるプッシュスイッチ１は、カバー体２と、青色発光ダイオード（light emitting diode, 略号「ＬＥＤ」）３と、赤色ＬＥＤ４と、切換部５とを含んで構成される。カバー体２をその厚み方向に見たときの外縁部６は、青色ＬＥＤ３よりも赤色ＬＥＤ４に近い部分と、赤色ＬＥＤ４よりも青色ＬＥＤ３に近い部分とを含む。
【０００３】
図２は、第２の従来技術に係る静電破壊防止構造７の断面図である。第２の従来技術に係る静電破壊防止構造７は、プッシュスイッチであり、プッシュスイッチは、ボタン８と、スイッチ部品９と、半田１０と、接地回路パターンとを備える。ボタン８の周囲には筐体１１の開口部１２が位置しており、開口部１２から侵入する静電気によって内部の回路が破壊されることを防止するために、半田１０および接地回路パターンとが配置される。半田１０は、開口部１２から半田までの距離が開口部１２からスイッチ部品９の端子部までの距離よりも短くなるように設けられ、静電気は、半田１０から接地回路パターンへ導かれる（たとえば特許文献１参照）。
【０００４】
【特許文献１】特開２００６−３０２５４４号公報
【発明の開示】
【発明が解決しようとする課題】
【０００５】
第１の従来技術に係るプッシュスイッチでは、帯電した状態で手指がカバー体に近接または接触したときに静電気の放電が生じると、静電気の放電に伴う電圧は、赤色ＬＥＤに印加される場合と青色ＬＥＤに印加される場合とがあった。一般に、赤色ＬＥＤの耐電圧は、青色ＬＥＤの耐電圧よりも高い。手指に帯電した静電気の放電によって印加される電圧は、赤色ＬＥＤの耐電圧よりも低く、青色ＬＥＤの耐電圧よりも高い場合がある。カバー体をその厚み方向に見たときの外縁部のうち、赤色ＬＥＤよりも青色ＬＥＤに近い部分に手指が位置し、手指から放電が生じると、青色ＬＥＤの端子のうちの１つに電圧が印加され、青色ＬＥＤが損傷を受けるという問題点がある。
【０００６】
第２の従来技術に係るプッシュスイッチでは、帯電した静電気の放電に伴う電荷の移動行程を構成する半田および配線を形成する必要があるので、スイッチ部品が搭載される基板の設計に伴う自由度が低下し、半田および配線を配置するために省スペース化が困難となるという問題点がある。
【０００７】
本発明の目的は、静電気の放電によってスイッチ部品に損傷が生じることを防止し、スイッチ部品が搭載される基板の設計に伴う自由度が低下することを防止し、省スペース化を可能にすることのできるスイッチ構成体およびこれを備える電子機器を提供することである。
【課題を解決するための手段】
【０００８】
本発明（１）に従えば、スイッチ構成体は、カバー体と、第１部品と、第２部品とを含んで構成される。カバー体は、筐体の開口部から露出する露出面部を有し、露出面部が外方に向けられて配置される。第１部品は、静電気の放電に伴う電圧の印加によって損傷を受けやすく、基板上に設けられる。基板は、内部空間に設けられる。第２部品は、基板上に設けられ、静電気の放電に伴って印加される電圧よりも高い耐電圧を有する。また第２部品は、最も短い到達経路の途中に配置される。到達経路は、露出面部のうち筐体の開口部に最も近接する外縁部から第１部品までの到達経路である。
【０００９】
また本発明（７）に従えば、スイッチ構成体は、カバー体と、第１部品と、第２部品とを含んで構成される。カバー体は、筐体の開口部から露出する露出面部を含み、露出面部が外方に向けられて配置され、外方の外部空間と内方の内部空間とを仕切る。第１部品は、静電気の放電に伴う電圧の印加によって損傷を受けやすく、基板上に設けられる。基板は、内部空間に配置される。第２部品は、基板上に設けられ、静電気の放電に伴って印加される電圧よりも高い耐電圧を有する。カバー体には、内部空間に臨む内表面部の一部として導電性を有する導電層が形成され、導電層は、いずれの部分においても第１部品との距離よりも第２部品との距離の方が短い。
【００１０】
また本発明（８）に従えば、電子機器は、スイッチ構成体を備え、スイッチ構成体は、カバー体と、第１部品と、第２部品とを含んで構成される。カバー体は、筐体の開口部から露出する露出面部を有し、露出面部が外方に向けられて配置される。第１部品は、静電気の放電に伴う電圧の印加によって損傷を受けやすく、基板上に配置される。基板は、内部空間に設けられる。第２部品は、基板上に配置され、静電気の放電に伴って印加される電圧よりも高い耐電圧を有する。
【発明の効果】
【００１１】
本発明（１）によれば、静電気の放電に伴って電荷が移動する移動行程を、第２部品を含んで形成することができる。したがって、露出面部近傍からの静電気の放電によって第１部品に電圧が印加されることを阻止することができる。これによって、静電気が放電されたときに第１部品が損傷を受けることを防止することができる。したがって、静電気の放電に伴って電荷が移動する移動行程を形成するための半田および配線の形成を省略することができる。これによって基板の設計の自由度を高くすることができ、基板において省スペース化することが可能となる。
【００１２】
また本発明（７）によれば、静電気の放電に伴って電荷が移動する移動行程を、導体層を含んで形成することができる。したがって、静電気の放電が、導体層と第１部品との間で生じる可能性を、導体層と第２部品との間で生じる可能性よりも低くすることができる。したがって、露出面部近傍からの静電気の放電によって第１部品に電圧が印加されることを阻止することができる。これによって、静電気が放電されたときに第１部品が損傷を受けることを防止することができる。したがって、静電気の放電に伴って電荷が移動する移動行程を形成するための半田および配線の形成を省略することができる。これによって基板の設計の自由度を高くすることができ、基板において省スペース化することが可能となる。導体層と第１部品との距離および導体層と第２部品との距離は、導体層の形状を選択することによって自由に設定することができる。したがって、カバー体の形状を自由に設定することができ、スイッチ構成体の設計の自由度を高くすることができる。
【００１３】
また本発明（８）によれば、静電気が放電されたときに第１部品が損傷を受けることを防止することができる。したがって、第１部品が損傷を受けたことによって第１部品の機能が停止することを防止することができる。また静電気の放電に伴って電荷が移動する移動行程を形成するための半田および配線の形成を省略することができる。これによって基板の設計の自由度を高くすることができ、基板において省スペース化することが可能となる。電子機器は、他の電気機器に比べて、使用される電圧が低い場合が多く、静電気の放電に伴う電圧の印加によって損傷を受ける部品を含む場合が多い。第１部品が損傷を受けることを防止することができるので、第１部品に損傷を与えた電圧が、さらに他の部品に損傷を与えることを防止することができる。
【発明を実施するための最良の形態】
【００１４】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。またそれぞれの実施形態は、本発明に係る技術を具体化するために例示するものであり、本発明の技術的範囲を限定するものではない。本発明に係る技術内容は、特許請求の範囲に記載された技術的範囲内において、種々の変更を加えることが可能である。以下の説明は、スイッチ構成体２０、電子機器２１についての説明をも含む。
【００１５】
（第１実施形態）
図３は、本発明の第１実施形態に係るスイッチ構成体２０の平面図である。第１実施形態に係るスイッチ構成体２０は、筐体２２の開口部２３から露出する露出面部２４を有し、操作されることによってオン状態とオフ状態とに態様が切換えられる。電子機器２１は、スイッチ構成体２０を備える。第１実施形態に係るスイッチ構成体２０は、カバー体２６と、第１部品２７と、第２部品２８とを含んで構成される。カバー体２６は、筐体２２の開口部２３から露出する露出面部２４を有し、露出面部２４が外方に向けられて配置される。またカバー体２６は、外方の外部空間と内方の内部空間とを仕切る。第１部品２７は、静電気の放電に伴う電圧の印加によって損傷を受けやすく、基板２９上に設けられる。基板２９は、内部空間に設けられる。
【００１６】
第２部品２８は、基板２９上に設けられ、静電気の放電に伴って印加される電圧よりも高い耐電圧を有する。また第２部品２８は、最も短い到達経路３１の途中に配置される。到達経路３１は、露出面部２４のうち筐体２２の開口部２３に最も近接する外縁部２５から第１部品２７までの行程を形成する。露出面部２４の外縁部２５から第１部品２７までの到達経路３１のうち、第２部品２８までの経路３２よりも短い到達経路３１は、１０ｍｍ以上に設定される。第１部品２７は青色ＬＥＤを含み、第２部品２８はオン状態とオフ状態とに態様が切換えられる切換部３４を含む。本実施形態において第２部品２８は、複数設けられ、第１部品２７は、複数の第２部品２８の間に配置される。また第２部品２８は、赤色ＬＥＤ３６をさらに含む。
【００１７】
図４は、本発明の第１実施形態に係る電子機器２１の斜視図である。図５は、本発明の第１実施形態に係るスイッチ構成体２０の断面図である。第１実施形態に係る電子機器２１は、自動車に搭載されるカーナビゲーション装置（satellite navigation system）である。スイッチ構造体は、手指によって外力を付与することによって操作され、態様が切換えられ、これによって、電子機器２１の動作についての操作が行われる。本実施形態においてスイッチ構成体２０は、プッシュスイッチを構成する各部品によって構成され、押圧することによって態様が切換えられる。
【００１８】
スイッチ構成体２０のカバー体２６は、露出面部２４が筐体２２の開口部２３から押圧可能に露出し、筐体２２と基板２９との間に配置される。筐体２２は、電子機器２１の筐体２２であって、スイッチ構成体２０と、スイッチ構成体２０以外の電子機器２１の構成部品とを外囲する。筐体２２は、電子機器２１の構成部品のうち全部を外囲してもよいけれども、本実施形態において筐体２２は、電子機器２１の構成部品のうち一部を外囲する。
【００１９】
筐体２２には、開口が形成される。開口は、筐体２２の開口部２３によって規定され、開口は、露出面部２４の大きさおよび形状に対応して形成される。カバー体２６は、スイッチ構成体２０よりも外方の外部空間と、スイッチ構成体２０のうちカバー体２６を除く残余のスイッチ部品が配置される内部空間とを仕切る。内部空間には、露出面部２４と略平行に配置される基板２９が配置され、以下、基板２９の厚み方向を、単に「厚み方向」Ｚと称する。厚み方向Ｚのうち、露出面部２４から内部空間に向かう向きを「厚み方向一方」Ｚ１と称し、厚み方向Ｚのうち内方とは逆の向きを「厚み方向他方」Ｚ２と称する。基板２９は露出面部２４よりも厚み方向一方Ｚ１に位置し、外部空間は露出面部２４よりも厚み方向他方Ｚ２に位置する。
【００２０】
本実施形態においてカバー体２６の露出面部２４は、厚み方向他方Ｚ２から手指を接触させ易い表面部であり、厚み方向Ｚに垂直に形成される。露出面部２４を除くカバー体２６の他の一部は、筐体２２と基板２９との間に配置され、一部が筐体２２に固定されることによってカバー体２６は、筐体２２に支持される。カバー体２６は、弾性変形可能な、たとえばゴム弾性を有する樹脂などによって形成される。露出面部２４が厚み方向他方Ｚ２から押圧されると、筐体２２に固定される一部３７は変位することなく、筐体２２に固定された一部に対してカバー体２６の露出面部２４を含む一部分が厚み方向一方Ｚ１に変位する。切換部３４は、露出面部２４が押圧されることによって変位したカバー体２６の一部分によって厚み方向一方Ｚ１に押圧され、これによってオン状態とオフ状態とが切換えられる。露出面部２４に対する外力の付与が解除されれば、露出面部２４はカバー体２６の弾性によって弾性復帰する。
【００２１】
カバー体２６には、第１部品２７の厚み方向他方Ｚ２の部分と赤色ＬＥＤ３６の厚み方向他方Ｚ２の部分とに、透明な部分または厚み方向Ｚ３６とが、外方から視認可能である。本実施形態では、孔３０が形成される。
【００２２】
スイッチの態様は、露出面部２４および切換部３４の押圧によってオン状態とオフ状態とに交互に切換えられる。したがって、スイッチの態様がオン状態のときには、露出面部２４および切換部３４の押圧によってオフ状態となり、スイッチの態様がオフ状態のときには、露出面部２４および切換部３４の押圧によってオン状態となる。本実施形態において露出面部２４および開口は、長方形に形成される。露出面部２４を厚み方向Ｚに見たときの長方形の中心を通り、厚み方向Ｚに延びる仮想的な直線を「仮想一直線」Ｌ１と称し、露出面部２４の長辺が延びる方向を「長手方向」Ｘと称し、露出面部２４の短辺が延びる方向を「短手方向」Ｙと称する。また、基板２９の厚み方向Ｚに垂直な表面のうち、カバー体２６に臨む表面と仮想一直線Ｌ１とが交差する位置を、「中央位置」３８と称する。
【００２３】
第１部品２７は、中央位置３８よりも短手方向一方Ｙ１寄りに配置される。本実施形態において第１部品２７は、青色ＬＥＤを含む。青色ＬＥＤは、電力供給によって青色の波長の光を発する発光部（図示せず）とこの発光部に接続される端子（図示せず）とを含む。端子は１つの発光部に２つ以上設けられ、発光部に電力を供給するための供給路の一部を構成する。第１部品２７は、青色ＬＥＤと、青色ＬＥＤを発光させるために青色ＬＥＤに電力を供給する供給路を形成する配線とを含んで構成される。本実施形態において第２部品２８は、切換部３４を含んで構成される。青色ＬＥＤは、たとえばＩｎＧａＮの組成から成り、静電気の放電に伴う電圧の印加に対して損傷を受け易い。Ｉｎはインジウム、Ｇａはガリウム、Ｎは窒素を表す。青色ＬＥＤは、たとえば赤色ＬＥＤ３６に比べて、発光部の発光層の厚みが薄く、赤色ＬＥＤ３６よりも電圧の印加によって損傷を受け易い。これに対し切換部３４は、静電気の放電に伴う電圧が印加されても損傷を受けることがない。
【００２４】
スイッチ構成体２０は、第２部品２８として複数の部品を含む。本実施形態においては第２部品２８は２つ設けられ、第１部品２７は、２つの第２部品２８の間に配置される。第２部品２８は、切換部３４と、赤色ＬＥＤ３６とを含む。赤色ＬＥＤ３６は、電力供給によって赤色の波長の光を発する発光部（図示せず）と、この発光部に接続される端子（図示せず）とを含む。端子は１つの発光部に２つ以上も受けられ、発光部に電力を供給するための供給路の一部を構成する。第２部品２８は、赤色ＬＥＤ３６と、赤色ＬＥＤ３６を発光させるために赤色ＬＥＤ３６に電力を供給する供給路を形成する配線とを含んで構成される。
【００２５】
赤色ＬＥＤ３６は、たとえばＡｌＧａＩｎＰ、ＡｌＧａＡｓ、またはＧａＡｓＰの組成から成り、人体に帯電した静電気が放電するときに電圧が印加されても、損傷を受けることがない。Ａｌはアルミニウムを表し、Ｐはリンを表し、Ａｓはヒ素を表す。赤色ＬＥＤ３６は、たとえば青色ＬＥＤに比べて、発光部の発光層の厚みが厚く、青色ＬＥＤよりも電圧の印加によって損傷を受けにくい。静電気の放電によって１５キロボルト（kilovolts, 略号「ｋＶ」）の電圧が印加されても、破損しないことが、実験によって確認された。静電気の放電による耐電圧試験は、赤色ＬＥＤ３６の電位に対して＋１５ｋＶの電位に帯電した静電気の放電と、−１５ｋＶの電位に帯電した静電気の放電との両方を行い、いずれにおいても赤色ＬＥＤ３６は、破損しなかった。
【００２６】
第２部品２８は、露出面部２４のうち長手方向Ｘの中央の部分の厚み方向一方Ｚ１に配置される。第２部品２８のうち切換部３４は、露出面部２４の最も短手方向一方Ｙ１の部分の厚み方向一方Ｚ１に配置される。第１部品２７は中央位置３８よりも短手方向一方Ｙ１に配置され、第２部品２８のうち赤色ＬＥＤ３６は、第１部品２７よりも短手方向他方Ｙ２に配置される。したがって、第１部品２７は、２つの第２部品２８によって短手方向両側から挟んで配置される。
【００２７】
露出面部２４は、長手方向Ｘに延びて形成され、第１部品２７および複数の第２部品２８は、露出面部２４の長手方向Ｘ中央部に対応して長手方向Ｘ中央部の内方に配置される。また第１部品２７および第２部品２８は、露出面部２４の厚み方向Ｚおよび長手方向Ｘに垂直な短手方向Ｙに並ぶ。第１部品２７は、露出面部２４の長手方向Ｘ中央部かつ短手方向Ｙの中央部に対応する中央部の内方に配置され、複数の第２部品２８の間に配置される。
【００２８】
これによって、外縁部２５から第１部品までの到達経路３１の長さが１０ｍｍ以下であり、かつ外縁部２５の位置の変化に対して極小となる到達経路３１の途中位置には、第２部品２８が配置される。したがって、露出面部２４またはその近傍から静電気の放電が生じるときには、第２部品２８を含めて電荷の移動行程を形成することができる。また到達経路３１のうち、途中位置に第２部品２８が配置されない到達経路３１は１０ｍｍ以上に設定される。これによって、途中位置に第２部品２８が配置されない到達経路３１が、静電気の放電に伴う電荷の移動行程となることを防止することができる。したがって、静電気の放電が生じても、電荷の移動行程が第１部品２７を含むことを防止することができる。これによって、静電気の放電に伴って第１部品２７に電圧が印加されることを防止することができる。したがって、静電気の放電によって第１部品２７に損傷が生じることを防止することができる。
【００２９】
カバー体２６のうち筐体２２に固定される一部３７は、露出面部２４よりも短手方向他方Ｙ２の部分である。これによって、露出面部２４から第１部品２７に到達する到達経路３１のうち、露出面部２４よりも短手方向他方Ｙ２を迂回する到達経路３１は、カバー体２６のうち筐体２２に固定される一部３７を迂回することになるので、その分露出面部２４よりも短手方向一方Ｙ１を迂回する到達経路３１よりもさらに長くなる。したがって、仮に第２部品２８が設けられていない状態で、露出面部２４と第１部品２７との間で放電が生じるとすれば、放電に伴って移動する電荷は、露出面部２４よりも短手方向一方Ｙ１を迂回する到達経路３１を移動することになる。
【００３０】
本実施形態において、露出面部２４よりも短手方向一方Ｙ１を迂回する到達経路３１の途中には切換部３４が配置される。これによって、露出面部２４よりも短手方向一方Ｙ１を迂回する到達経路３１を電荷が流れようとしても、第２部品２８が到達経路３１の途中に配置されるので、露出面部２４または露出面部２４近傍の物体からの放電は、第１部品２７との間で生じることはなく、第２部品２８との間で生じる。
【００３１】
本実施形態においては、さらに、露出面部２４よりも短手方向他方Ｙ２を迂回する到達経路３１の途中に赤色ＬＥＤ３６が配置される。これによって、静電気が放電するときに、仮に露出面部２４よりも短手方向他方Ｙ２を迂回する到達経路３１を電荷が流れようとしても、露出面部２４または露出面部２４近傍の物体からの放電は、第１部品２７との間で生じることはなく、第２部品２８との間で生じる。
【００３２】
スイッチ構成体２０は、手指によって操作される場合に、手指の近接または接触によって、手指の電位とスイッチ構成体２０の電位とが空中放電を生じるときの、静電気の放電によるスイッチ部品の損傷を防止する。たとえば人体が帯電している場合に、手指が導電性を有する部材に近づくと、手指から導電性を有する部品に対して静電気の放電が生じる。人体にが帯電し、人体に蓄積された静電気が放電される場合、静電気の放電によって印加される導電性と人体との間の電圧は、１０ｋＶ以下の場合がほとんどである。およそ５ｋＶ以上の電圧が生じ放電される場合、放電に伴う衝撃を手指によって感じることができる。具体的にこの電圧は、人体の電位と電子機器２１内の基準電位に保たれる基準電位部との電位差であり、基準電位部が接地されているときには、人体の電位と地面の電位との電位差である。
【００３３】
人体に蓄積された静電気の電気量が少なければ、基準電位部との電位差は小さく、電位差が小さければ小さいほど、放電が生じる可能性は低くなる。また導電層と、導電層に近接する手指との行程が長ければ長いほど、放電が生じる可能性は低くなる。手指が露出面部２４に接触し放電が生じるときに、電荷は、スイッチ部品近傍の空気を移動する。具体的には、露出面部２４のうち筐体２２の開口部２３に最も近い部分と筐体２２との間隙を移動し、基板２９の厚み方向他方Ｚ２の表面上の空間を移動し、第２部品２８に移動する。
【００３４】
仮に手指と第１部品２７との間で放電が生じるときには、露出面部２４のうち筐体２２の開口部２３に最も近い部分と筐体２２との間隙、および基板２９の厚み方向他方Ｚ２の表面上の空間によって電荷が移動する行程が構成される。露出面部２４のうち開口部２３に最も近い部分から、露出面部２４と開口部２３との間隙および基板２９状の空間を通って第１部品２７の特に端子に至る行程を「到達経路」２１と称し、露出面部２４のうち開口部２３に最も近い部分から、露出面部２４と開口部２３との間隙および基板２９状の空間を通って第２部品２８の特に端子に至る行程を「経路」２２と称する。
【００３５】
放電が生じる条件は様々であるが、たとえば放電が生じるときに電荷が移動するときの行程が１ミリメートル（millimeters, 略号「ｍｍ」）長くなると、この行程が電荷の移動行程となる放電が生じるための電位差は、およそ１ｋＶ上昇する。行程が１０ｍｍ以上のときに放電を生じさせるために必要な電位差は、およそ１０ｋＶとなる。したがって、行程が１０ｍｍ以上であるときには、およそ１０ｋＶ以上の電位差があり、静電気の放電によって１０ｋＶ以上の電圧が印加される場合に放電が生じる。
【００３６】
露出面部２４のうち、最も短手方向一方Ｙ１を迂回する到達経路３１は、１０ｍｍ以上に設定される。さらに露出面部２４よりも長手方向Ｘいずれかの側を迂回する到達経路３１は、いずれの側を迂回する到達経路３１も、短手方向Ｙに迂回する到達経路３１よりも長く設定される。これによって、放電に伴って電荷が移動する行程が、長手方向Ｘに迂回する行程となる可能性は、短手方向Ｙに迂回する行程となる可能性よりも低い。したがって、放電に伴って第１部品２７に電圧が印加されることを防止することができる。
【００３７】
放電は、電荷が移動する行程が短ければ短いほど生じやすい。第１実施形態において露出面部２４から第１部品２７に到達する到達経路３１のうち、最も短い到達経路３１は、仮想一直線Ｌ１よりも短方向一方に位置する開口部２３に対して最も近い露出面部２４の一部からの到達経路３１であり、カバー体２６の短手方向一方Ｙ１を迂回して第１部品２７に到達する到達経路３１である。切換部３４は、この到達経路３１の途中位置に配置される。第２部品２８である切換部３４は、露出面部２４の押圧によって厚み方向一方Ｚ１に変位するカバー体２６の一部の厚み方向一方Ｚ１側であって、第１部品２７よりも短手方向一方Ｙ１寄りの位置に配置される。
【００３８】
第１実施形態によれば、第２部品２８は、基板２９上に設けられ、静電気の放電に伴って印加される電圧よりも高い耐電圧を有する。また第２部品２８は、最も短い到達経路３１の途中に配置される。これによって、静電気の放電に伴って電荷が移動する移動行程を、第２部品２８を含んで形成することができる。したがって、露出面部２４近傍からの静電気の放電によって第１部品２７に電圧が印加されることを阻止することができる。これによって、静電気が放電されたときに第１部品２７が損傷を受けることを防止することができる。したがって、静電気の放電に伴って電荷が移動する移動行程を形成するための半田および配線の形成を省略することができる。これによって基板２９の設計の自由度を高くすることができ、基板２９において省スペース化することが可能となる。
【００３９】
また第１実施形態によれば、第２部品２８は、複数設けられ、第１部品２７は、複数の第２部品２８の間に配置される。これによって、第２部品２８が単数である場合に比べて、露出面部２４の外縁部２５から第２部品２８までの経路３２よりも第１部品２７に到達する到達経路３１の方が短い露出面部２４の外縁部２５を少なくすることができる。したがって、露出面部２４近傍から静電気の放電によって第１部品２７に電圧が印加されることを阻止することができる。したがって、静電気が放電されたときに第１部品２７が損傷を受けることを防止することができる。
【００４０】
また第１実施形態によれば、露出面部２４の外縁部２５から第１部品２７までの到達経路３１のうち、第２部品２８までの経路３２よりも短い到達経路３１は、１０ｍｍ以上に設定される。これによって、手指に帯電した静電気が放電されるときに、第１部品２７に電圧が印加されることを防止することができる。手指に帯電した静電気が放電される場合、手指と物体との間に発生する電圧は、１００００ボルト（volts, 略号「Ｖ」）以下である場合が多い。また放電に伴って電荷が移動する行程の長さは長ければ長いほど、放電が生じるために必要な電圧は高くなる。行程の長さが１ｍｍ長くなれば、放電に必要な電圧はおよそ１０００Ｖ上昇する。
【００４１】
したがって、露出面部２４の外縁部２５から第１部品２７までの到達経路３１として１０ｍｍ以上に設定される到達経路３１が、手指に帯電した静電気が放電されるときの電荷の移動行程となることを防止することができる。これによって、第２部品２８までの経路３２よりも短い、第１部品２７までの到達経路３１が、電荷の移動行程となることを防止することができる。露出面部２４の外縁部２５のうち、第１部品２７までの到達経路３１が第２部品２８までの経路３２よりも長い外縁部２５から静電気が放電されるときには、電荷は第２部品２８までの経路３２を移動する。したがって、露出面部２４のいずれの外縁部２５を含む第１部品２７までの到達経路３１も、静電気が放電されるときの電荷の移動行程となることはない。これによって、静電気の放電に伴って第１部品２７に電圧が印加されることを防止することができる。
【００４２】
また第１実施形態によれば、第１部品２７は青色ＬＥＤを含み、第２部品２８はオン状態とオフ状態とに態様が切換えられる切換部３４を含む。これによって、スイッチの態様の切換えと、青色ＬＥＤによるスイッチの態様の表示とを両立することができる。態様が切換えられる切換部３４は、静電気の放電に伴って印加される電圧よりも高い耐電圧を有するので、静電気の放電によって損傷を受けない。また静電気の放電によって切換部３４に電圧が印加される可能性に比べて青色ＬＥＤに電圧が印加される可能性を低く設定できるので、青色ＬＥＤが静電気の放電によって損傷を受けることを阻止することができる。
【００４３】
また第１実施形態によれば、第２部品２８は、赤色ＬＥＤ３６をさらに含む。これによって、赤色ＬＥＤ３６によっても、スイッチの態様を表示することができる。赤色ＬＥＤ３６は、静電気の放電に伴って印加される電圧よりも高い耐電圧を有するので、静電気の放電によって損傷を受けない。また静電気の放電によって赤色ＬＥＤ３６に電圧が印加される可能性に比べて青色ＬＥＤに電圧が印加される可能性を低く設定できるので、青色ＬＥＤが静電気の放電によって損傷を受けることを阻止することができる。第２部品２８は、切換部３４と赤色ＬＥＤ３６とを両方含むので、第２部品２８が切換部３４を含み赤色ＬＥＤ３６を含まない場合に比べて、青色ＬＥＤが静電気の放電によって損傷を受ける可能性をさらに低減することができる。
【００４４】
また第１実施形態によれば、電子機器２１は、スイッチ構成体２０を備える。これによって、静電気が放電されたときに第１部品２７が損傷を受けることを防止することができる。したがって、第１部品２７が損傷を受けたことによって第１部品２７の機能が停止することを防止することができる。また静電気の放電に伴って電荷が移動する移動行程を形成するための半田および配線の形成を省略することができる。これによって基板２９の設計の自由度を高くすることができ、基板２９において省スペース化することが可能となる。電子機器２１は、他の電気機器に比べて、使用される電圧が低い場合が多く、静電気の放電に伴う電圧の印加によって損傷を受ける部品を含む場合が多い。第１部品２７が損傷を受けることを防止することができるので、第１部品２７に損傷を与えた電圧が、さらに他の部品に損傷を与えることを防止することができる。
【００４５】
（第２実施形態）
図６は、本発明の第２実施形態に係るスイッチ構成体２０の断面図である。第２実施形態に係るスイッチ構成体２０は、第１実施形態に係るスイッチ構成体２０に類似しており、以下、第１実施形態に対する第２実施形態の相違点を中心に説明する。本実施形態において、露出面部２４は、基板２９から離れる向きである外方に向けて突出する形状に形成され、外方から手指を接触させることが可能なカバー体２６の表面部である。本実施形態において、カバー体２６のうち開口部２３から筐体２２よりも外方に露出する部分全てが露出面部２４である。露出面部２４と筐体２２の開口部２３との間隙は、手指を挿入できないほど狭く設定される。
【００４６】
第１部品２７は青色ＬＥＤであり、第２部品２８は、赤色ＬＥＤ３６とである。露出面部２４のうち筐体２２の開口部２３に最も近い外縁部２５から第１部品２７に到達する到達経路３１の長さは、外縁部２５の部位によって異なり、最も短い到達経路３１の途中位置には、赤色ＬＥＤ３６が配置される。スイッチ構成体２０は、スイッチ部品のうちの１つとして、切換部３４を含んで構成されるけれども、第２実施形態において切換部３４は、最も短い到達経路３１の途中位置に配置されず、また第１部品２７に関して赤色ＬＥＤ３６と反対側に配置されることもない。しかし最も短い到達経路３１の途中位置に、第２部品２８として赤色ＬＥＤ３６が配置されることによって、放電が生じるときに第１部品２７に電圧が印加されることは、防止することができる。
【００４７】
手指の近接によって、人体に帯電した静電気が放電するときの電圧の印加によって、第２部品２８は、破損することがない。したがって、到達経路３１のうち最も短い到達経路３１の途中位置に、第２部品２８のうちの１つが配置されることによって、放電が生じるときに第１部品２７に電圧が印加されることを防止することができる。したがって、静電気が放電するときの電圧の印加によって破損することのない他の部品の配置について、自由な設計を行うことができ、スイッチ部品の設計の自由度を高くすることができる。
【００４８】
（第３実施形態）
図７は、本実施形態の第３実施形態に係るスイッチ構成体２０の平面図である。第３実施形態に係るスイッチ構成体２０は、第１実施形態に係るスイッチ構成体２０に類似しており、以下、第１実施形態に対する第３実施形態の相違点を中心に説明する。第２部品２８は３つ以上設けられ、第１部品２７は、３つ以上の第２部品２８を頂点とする基板２９状の多角形の領域内に配置される。本実施形態において第２部品２８は、切換部３４と、赤色ＬＥＤ３６と、チップ抵抗とを含む。ただし第２部品２８は、静電気の放電による電圧の印加によって破損しない部品であれば、その種類については、規定しない。３つ以上の第２部品２８は、同一種類の複数の部品を含んでいてもよい。
【００４９】
本実施形態において第２部品２８は、３つ配置され、３つの第２部品２８の位置は、頂点として正三角形を成す位置に設定される。第１部品２７は、３つの第２部品２８の位置を頂点とする正三角形のほぼ中央の位置に配置される。第１部品２７および３つの第２部品２８は、平板状の基板２９の表面上に配置されるので、ほぼ同一平面状に位置する。カバー体２６の露出面部２４の外縁部２５から第１部品２７に到達する到達経路３１の長さと、露出面部２４の外縁部２５から第２部品２８までの経路３２の長さとを比較すると、外縁部２５のいずれの部分を基点とする到達経路３１の長さも、第２部品２８までの経路３２の長さよりも長くなる。したがって、カバー体２６の外方表面またはその近傍から静電気の放電が生じたときに、第１部品２７に電圧が印加されることを確実に防止することができる。
【００５０】
第３実施形態によれば、第２部品２８は３つ以上設けられ、第１部品２７は、３つ以上の第２部品２８を頂点とする基板２９状の多角形の領域内に配置される。これによって、露出面部２４のいずれの外縁部２５においても、露出面部２４の外縁部２５から第２部品２８に到達する経路３２よりも第１部品２７に到達する到達経路３１の方を長く設定することができる。したがって、露出面部２４近傍からの静電気の放電によって、第１部品２７に電圧が印加されることを防止することができる。したがって、静電気が放電されたときに第１部品２７が損傷を受けることを防止することができる。
【００５１】
（第４実施形態）
図８は、本発明の第４実施形態に係るスイッチ構成体２０の平面図である。第４実施形態に係るスイッチ構成体２０は、第１実施形態に係るスイッチ構成体２０に類似しており、以下、第１実施形態に対する第４実施形態の相違点を中心に説明する。第４実施形態においてカバー体２６には、内部空間に臨む内表面部４２の一部として導電性を有する導電層が形成され、導電層は、いずれの部分においても第１部品２７との距離よりも第２部品２８との距離の方が短い。第４実施形態において露出面部２４は、基板２９にほぼ平行に形成される。第１部品２７は基板２９状の中央位置３８よりも短手方向一方Ｙ１に配置される。
【００５２】
第２部品２８は、露出面部２４のうち長手方向Ｘの中央の部分の厚み方向一方Ｚ１に配置される。第２部品２８のうち切換部３４は、露出面部２４の最も短手方向一方Ｙ１の部分の厚み方向一方Ｚ１に配置され、第１部品２７よりも短手方向一方Ｙ１に配置される。第１部品２７は中央位置３８よりも短手方向一方Ｙ１に配置され、第２部品２８のうち赤色ＬＥＤ３６は、第１部品２７よりも短手方向他方Ｙ２に配置される。したがって、第１部品２７は、２つの第２部品２８によって短手方向Ｙ両側から挟んで配置される。
【００５３】
カバー体２６に形成される導体層４３は、露出面部２４よりも厚み方向一方Ｚ１に形成され、カバー体２６のうち基板２９に臨む表面部の一部として形成される。外方に向けて配置される露出面部２４に対し、露出面部２４の内方に向けて配置される表面部を、「内表面部」３２と称する。内表面部４２は、カバー体２６のうち、内部空間に臨む表面部であれば、足りる。内表面部４２の形状および大きさは、必ずしも露出面部２４の形状および大きさに対応する必要はない。しかし、本実施形態において内表面部４２は、露出面部２４と表裏の関係にあり、露出面部２４の形状および大きさに対応するものとする。
【００５４】
導体層４３は、露出面部２４と表裏の関係にある内表面部４２の周縁部に形成される。導体層４３と第１部品２７および導体層４３と第２部品２８との間は、第１および第２部品２８を除いて、遮るものなく空間によって満たされている。第２部品２８を除けば、導体層４３のいずれの部分からも第１部品２７までの到達経路３１は直線的に設定することが可能であり、第１部品２７を除けば、導体層４３のいずれの部分からも第２部品２８までの経路３２は直線的に設定することが可能である。導電層は、たとえば銅箔などの金属によって形成され、空気および樹脂よりも導電性の高い材料によって形成される。本実施形態において導電層は、空気、カバー体２６および基板２９よりも高い導電性を有する材料から形成される。
【００５５】
露出面部２４は長方形に形成され、導体層４３は内表面部４２の周縁部に形成されるので、導体層４３のうち短手方向他方Ｙ２に位置する部分は、長手方向Ｘに延びて形成される。導体層４３のうち短手方向一方Ｙ１に位置する部分は、大略的に長手方向Ｘに延びて形成され、中央位置３８よりも短手方向一方Ｙ１に位置する一部分は、短手方向Ｙに突出し、仮想一直線Ｌ１に近づく向きに突出して形成される。この突出して形成される導体層４３の突出部４４は、第２部品２８に比較的近く、第１部品２７に比較的遠く形成される。導体層４３のうち長手方向Ｘ一方および他方に位置する部分は、短手方向Ｙに延びて形成される。
【００５６】
静電気の放電が生じる場合、電荷は、導電性の高い部材を移動し、かつ短い行程を移動する。露出面部２４に近接した手指などの物体から静電気の放電が生じる場合、導電層の一部分が、放電に伴う電荷の移動行程の一部となる。導電層は、カバー体２６の変位に関わらず接地されることはなく、帯電した導体層４３から放電が生じるときには、導電層に移動した電荷は、空中放電によって第２部品２８に移動する。導体層４３から第１部品２７までの距離は、導体層４３から第２部品２８までの距離よりも長いので、第１部品２７に電荷が移動することはない。導体層４３には、特に突出して形成され、第２部品２８との距離が短く設定される突出部４４が形成されるので、放電によって導体層４３に移動した電荷は、突出部４４を移動工程の一部として移動する。
【００５７】
第４実施形態によれば、カバー体２６には、内部空間に臨む内表面部４２の一部として導電性を有する導電層が形成され、導電層は、いずれの部分においても第１部品２７との距離よりも第２部品２８との距離の方が短い。これによって、静電気の放電に伴って電荷が移動する移動行程を、導体層４３を含んで形成することができる。したがって、静電気の放電が、導体層４３と第１部品２７との間で生じる可能性を、導体層４３と第２部品２８との間で生じる可能性よりも低くすることができる。
【００５８】
したがって、露出面部２４近傍からの静電気の放電によって第１部品２７に電圧が印加されることを阻止することができる。これによって、静電気が放電されたときに第１部品２７が損傷を受けることを防止することができる。したがって、静電気の放電に伴って電荷が移動する移動行程を形成するための半田および配線の形成を省略することができる。これによって基板２９の設計の自由度を高くすることができ、基板２９において省スペース化することが可能となる。導体層４３と第１部品２７との距離および導体層４３と第２部品２８との距離は、導体層４３の形状を選択することによって自由に設定することができる。したがって、カバー体２６の形状を自由に設定することができ、スイッチ構成体２０の設計の自由度を高くすることができる。
【００５９】
（変形例）
第１〜第４実施形態において、スイッチ構成体２０は、プッシュスイッチを構成する構成体であるものとしたけれども、本発明においてスイッチ構成体２０は、予め定める構造を有し、スイッチを構成する構成体であれば、足りる。たとえば他の実施形態においてスイッチ構成体は、ロッカスイッチを構成する構成体であってもよく、ロータリスイッチを構成する構成体であってもよい。
【００６０】
第１〜第４実施形態において電子機器２１は、カーナビゲーションシステムであるものとしたけれども、本発明において電子機器２１は、手指の動作によって操作されるスイッチ構成体２０を含み、電子制御によって動作する機器であれば、足りる。他の実施形態において電子機器は、たとえばオーディオ装置、表示装置、放送波受信装置、撮像装置などであってもよい。
【００６１】
第１〜第４実施形態において第２部品２８は、複数配置されるものとしたけれども、他の実施形態において第２部品は、たとえば１つのスイッチ構成体に１つ配置されていてもよい。この場合の第２部品は、第２実施形態における赤色ＬＥＤと同様に配置される。これによって、静電気の放電に伴って電圧が印加されることで損傷を受け易い第１部品の損傷を、防止することができる。
【００６２】
第１〜第４実施形態において、第１および第２部品２８を含むスイッチ部品に対して放電される静電気は、人体に蓄積された静電気であるものとし、露出面部２４には手指が近接または接触するものとしたけれども、露出面部２４に近接するのは、人体に蓄積された静電気を放電する可能性のある物体であれば、足りる。他の実施形態において露出面部に近接または接触する物体は、たとえば手指以外の身体の一部であってもよく、また手指によって保持された物体であってもよい。
【００６３】
第１〜第４実施形態において第１部品は、青色ＬＥＤであるものとしたけれども、本発明において第１部品は、人体に蓄積された静電気の放電によって損傷を受け易い部品であれば、足りる。他の実施形態において第１部品は、
たとえば白色ＬＥＤであってもよく、またＩＣであってもよい。
【００６４】
電子機器２１に設けられるスイッチ構成体２０の個数については、規定しない。電子機器２１に設けられるスイッチ構成体２０の個数は、たとえば１つでもよく、複数であってもよい。さらに３つ以上あるいは４つ以上であってもよい。
【図面の簡単な説明】
【００６５】
【図１】第１の従来技術に係るプッシュスイッチの平面図である。
【図２】第２の従来技術に係る静電破壊防止構造の断面図である。
【図３】本発明の第１実施形態に係るスイッチ構成体２０の平面図である。
【図４】本発明の第１実施形態に係る電子機器２１の斜視図である。
【図５】本発明の第１実施形態に係るスイッチ構成体２０の断面図である。
【図６】本発明の第２実施形態に係るスイッチ構成体２０の断面図である。
【図７】本実施形態の第３実施形態に係るスイッチ構成体２０の平面図である。
【図８】本発明の第４実施形態に係るスイッチ構成体２０の平面図である。
【符号の説明】
【００６６】
２０  スイッチ構成体
２１  電子機器
２２  筐体
２３  開口部
２４  露出面部
２５  外縁部
２６  カバー体
２７  第１部品
２８  第２部品
２９  基板
３１  到達経路
３２  経路
３４  切換部
３６  赤色発光ダイオード
４２  内表面部
４３  導体層
【図１】
2009272258.tif 000003
【図２】
2009272258.tif 000004
【図３】
2009272258.tif 000005
【図４】
2009272258.tif 000006
【図５】
2009272258.tif 000007
【図６】
2009272258.tif 000008
【図７】
2009272258.tif 000009
【図８】
2009272258.tif 000010